(57)【特許請求の範囲】
【請求項１】
無線センサと、無線親局とから構成される無線通信システムであって、
前記無線センサは、
所定のエリアの環境に関する所定の物理量を検出する環境物理量検出部と、
前記物理量の検出履歴を示す検出履歴テーブルを記憶する検出履歴記憶部と、
前記無線親局と無線通信を行う第１の通信部と、
第１の時間経過毎に前記環境物理量検出部の検出結果を取得し、取得した検出結果と、前記検出履歴テーブルとに基づいて前記無線親局に対するデータ送信の要否を判定し、データ送信が必要であると判定した場合には、前記検出結果を含む検出データを前記第１の通信部を介して前記無線親局に送信すると共に、前記判定の結果に拘わらず、前記検出結果と、現在時刻とを対応付けて前記検出履歴テーブルに格納する第１の制御部と、を備え、
前記無線親局は、
前記無線センサと無線通信を行う第２の通信部と、
他の装置と所定のネットワークを介した通信を行う第３の通信部と、
前記無線センサからの前記検出データの受信履歴を示す受信履歴テーブルを記憶する受信履歴記憶部と、
前記第２の通信部を介して前記検出データを受信すると、受信した検出データを前記第３の通信部を介して前記他の装置に送信すると共に、前記受信した検出データと、現在時刻とを対応付けて前記受信履歴テーブルに格納する第２の制御部と、を備え、
前記第２の制御部は、前記受信履歴テーブルに前記検出データを格納してからの経過時間が前記第１の時間に該第１の時間より短い第２の時間を加えた時間を越えた場合、前記受信履歴テーブルから所定条件を満たす検出データを読み出し、読み出した検出データに基づくデータを前記第３の通信部を介して前記他の装置に送信すると共に、前記送信したデータと、現在時刻より前記第２の時間分以前の時刻とを対応付けて、前記受信履歴テーブルに格納する、
ことを特徴とする無線通信システム。
【請求項２】
前記無線親局は、複数の無線センサと無線通信を行い、
前記各無線センサにおいて、
前記第１の制御部は、前記無線親局に送信する前記検出データに当該無線センサの識別情報を格納し、
前記無線親局において、
前記受信履歴記憶部には、前記各無線センサに対応した受信履歴テーブルが記憶され、
前記第２の制御部は、何れかの前記無線センサに対応する前記受信履歴テーブルにおいて、前記検出データを格納してからの経過時間が前記第１の時間に前記第２の時間を加えた時間を越えた場合、当該受信履歴テーブルから所定条件を満たす検出データを読み出し、読み出した検出データに基づくデータを前記第３の通信部を介して前記他の装置に送信すると共に、前記送信したデータと、現在時刻より前記第２の時間分以前の時刻とを対応付けて、当該受信履歴テーブルに格納する、
ことを特徴とする請求項１に記載の無線通信システム。
【請求項３】
前記無線センサの前記第１の制御部は、前記第１の時間経過毎に前記環境物理量検出部の検出結果を取得し、取得した前記検出結果に対して、所定の調整値を加算又は加減することで得られた値と、前記検出履歴テーブルとに基づいて前記無線親局に対するデータ送信の要否を判定し、
前記無線親局の前記第２の制御部は、前記受信履歴テーブルに前記検出データを格納してからの経過時間が前記第１の時間に前記第２の時間を加えた時間を越えた場合、前記受信履歴テーブルから所定条件を満たす検出データを読み出し、読み出した検出データに含まれるセンサデータに対して前記調整値を加算又は加減し、その結果得られた値を格納したデータを前記第３の通信部を介して前記他の装置に送信すると共に、前記送信したデータと、現在時刻より前記第２の時間分以前の時刻とを対応付けて、前記受信履歴テーブルに格納する、
ことを特徴とする請求項１に記載の無線通信システム。
【請求項４】
所定のエリアの環境に関する所定の物理量を検出する環境物理量検出部と、
前記物理量の検出履歴を示す検出履歴テーブルを記憶する検出履歴記憶部と、
無線親局と無線通信を行う第１の通信部と、
第１の時間経過毎に前記環境物理量検出部の検出結果を取得し、取得した検出結果と、前記検出履歴テーブルとに基づいて前記無線親局に対するデータ送信の要否を判定し、データ送信が必要であると判定した場合には、前記検出結果を含む検出データを前記第１の通信部を介して前記無線親局に送信すると共に、前記判定の結果に拘わらず、前記検出結果と、現在時刻とを対応付けて前記検出履歴テーブルに格納する第１の制御部と、を備える、
ことを特徴とする無線センサ。
【請求項５】
前記第１の制御部は、前記検出履歴テーブルから予め定めた条件を満たす検出結果を読み出し、読み出した検出結果と、前記取得した検出結果との差分が予め定めた範囲に収まっている場合には、データ送信が必要でないと判定する、
ことを特徴とする請求項４に記載の無線センサ。
【請求項６】
前記第１の制御部は、前記検出履歴テーブルから予め定めた条件を満たす検出結果を読み出し、読み出した検出結果と調整値との予め定めた演算により得られた結果と、前記取得した検出結果とが一致する場合には、データ送信が必要でないと判定する、
ことを特徴とする請求項４に記載の無線センサ。
【請求項７】
前記第１の制御部は、前記検出履歴テーブルから予め定めた条件を満たす検出結果を読み出し、読み出した検出結果に予め定めた統計処理を施した結果と、前記取得した検出結果とが一致する場合には、データ送信が必要でないと判定する、
ことを特徴とする請求項４に記載の無線センサ。
【請求項８】
無線センサと無線通信を行う第２の通信部と、
他の装置と所定のネットワークを介した通信を行う第３の通信部と、
前記無線センサからの検出データの受信履歴を示す受信履歴テーブルを記憶する受信履歴記憶部と、
前記第２の通信部を介して前記検出データを受信すると、受信した検出データを前記第３の通信部を介して前記他の装置に送信すると共に、前記受信した検出データと、現在時刻とを対応付けて前記受信履歴テーブルに格納する第２の制御部と、を備え、
前記第２の制御部は、前記受信履歴テーブルに前記検出データを格納してからの経過時間が第１の時間に該第１の時間より短い第２の時間を加えた時間を越えた場合、前記受信履歴テーブルから所定条件を満たす検出データを読み出し、読み出した検出データに基づくデータを前記第３の通信部を介して前記他の装置に送信すると共に、前記送信したデータと、現在時刻より前記第２の時間分以前の時刻とを対応付けて、前記受信履歴テーブルに格納する、
ことを特徴とする無線親局。
【請求項９】
無線センサと無線親局との間の無線通信方法であって、
前記無線センサは、
所定のエリアの環境に関する所定の物理量を検出し、
第１の時間経過毎に、前記物理量の検出結果と、前記物理量の検出履歴を示す検出履歴テーブルとに基づいて前記無線親局に対するデータ送信の要否を判定し、データ送信が必要であると判定した場合には、前記検出結果を含む検出データを前記無線親局に送信すると共に、前記判定の結果に拘わらず、前記検出結果と、現在時刻とを対応付けて前記検出履歴テーブルに格納し、
前記無線親局は、
前記無線センサからの前記検出データを受信すると、受信した検出データを所定のネットワークを介して接続する他の装置に送信すると共に、前記受信した検出データと、現在時刻とを対応付けて、前記検出データの受信履歴を示す受信履歴テーブルに格納し、
前記受信履歴テーブルに前記検出データを格納してからの経過時間が前記第１の時間に該第１の時間より短い第２の時間を加えた時間を越えた場合、前記受信履歴テーブルから所定条件を満たす検出データを読み出し、読み出した検出データに基づくデータを前記他の装置に送信すると共に、前記送信したデータと、現在時刻より前記第２の時間分以前の時刻とを対応付けて、前記受信履歴テーブルに格納する、
ことを特徴とする無線通信方法。
【発明の詳細な説明】
【技術分野】
【０００１】
本発明は、電池で駆動するセンサと上位局との間の無線通信において、センサの消費電力を抑制するための技術に関する。
【背景技術】
【０００２】
例えば、ビル等に設置される空調機を制御する空調システムでは、複数のセンサを空調対象エリアに設置し、上位のコントローラ（システムコントローラ）は、かかるセンサで検出された温度等を用いて、この空調対象エリアの空調制御を行う。
【０００３】
各センサは、検出結果を格納した検出データを無線親局に対して無線送信する。無線親局は、例えば、有線にてシステムコントローラと接続し、各センサからの検出データをシステムコントローラに送信する。
【０００４】
このような無線通信を行うセンサ（無線センサ）は、一般的には、電池を内蔵し、かかる電池から電源の供給を受けて駆動する。このため、電池の容量が無くなる、あるいは少なくなると、センシング機能に支障をきたし、電池の交換作業を余儀なくされる。したがって、この種の無線センサでは、電池を長寿命化させることが、重要な課題の一つといえる。
【０００５】
例えば、特許文献１には、観測データや監視データ等を指定時刻に通報する複数の子局等からなる無線システムにおいて、各子局等は、予め指定された送受信時間以外では、送受信手段への電源供給を停止し、予め指定された送受信開始時刻になると自発的に送受信手段へ電源を供給して送受信状態することで、各子局等の消費電力を節減する技術が開示されている。
【先行技術文献】
【特許文献】
【０００６】
【特許文献１】特開２００４−５３３５５号公報
【発明の概要】
【発明が解決しようとする課題】
【０００７】
ところで、空調等の制御対象空間（制御対象エリア）において、その環境に関する所定の物理量（例えば、温度など）は、例えば、前日の同時刻での検出結果とほぼ同様となる傾向が見られる。しかしながら、無線センサの消費電力の低減化に関して、このように、当該無線センサにより検出される物理量の特性に着目した有効な技術は、未だ提案されていないのが実情である。
【０００８】
本発明は、上記実情に鑑みてなされたものであり、無線センサの消費電力の低減化をより図れる無線通信システム等を提供することを目的とする。
【課題を解決するための手段】
【０００９】
上記目的を達成するため、本発明に係る無線通信システムは、
無線センサと、無線親局とから構成される無線通信システムであって、
前記無線センサは、
所定のエリアの環境に関する所定の物理量を検出する環境物理量検出部と、
前記物理量の検出履歴を示す検出履歴テーブルを記憶する検出履歴記憶部と、
前記無線親局と無線通信を行う第１の通信部と、
第１の時間経過毎に前記環境物理量検出部の検出結果を取得し、取得した検出結果と、前記検出履歴テーブルとに基づいて前記無線親局に対するデータ送信の要否を判定し、データ送信が必要であると判定した場合には、前記検出結果を含む検出データを前記第１の通信部を介して前記無線親局に送信すると共に、前記判定の結果に拘わらず、前記検出結果と、現在時刻とを対応付けて前記検出履歴テーブルに格納する第１の制御部と、を備え、
前記無線親局は、
前記無線センサと無線通信を行う第２の通信部と、
他の装置と所定のネットワークを介した通信を行う第３の通信部と、
前記無線センサからの前記検出データの受信履歴を示す受信履歴テーブルを記憶する受信履歴記憶部と、
前記第２の通信部を介して前記検出データを受信すると、受信した検出データを前記第３の通信部を介して前記他の装置に送信すると共に、前記受信した検出データと、現在時刻とを対応付けて前記受信履歴テーブルに格納する第２の制御部と、を備え、
前記第２の制御部は、前記受信履歴テーブルに前記検出データを格納してからの経過時間が前記第１の時間に該第１の時間より短い第２の時間を加えた時間を越えた場合、前記受信履歴テーブルから所定条件を満たす検出データを読み出し、読み出した検出データに基づくデータを前記第３の通信部を介して前記他の装置に送信すると共に、前記送信したデータと、現在時刻より前記第２の時間分以前の時刻とを対応付けて、前記受信履歴テーブルに格納する、ことを特徴とする。
【発明の効果】
【００１０】
本発明によれば、無線センサは、エリアの環境に関する所定の物理量の検出結果と、その検出履歴とに基づいて無線親局に対する検出データの送信要否を判定する。したがって、無線センサの通信処理に要する消費電力の低減化をより図ることが可能となる。
【図面の簡単な説明】
【００１１】
【図１】本発明の実施形態１に係る無線通信システムを備えた設備管理システムの全体構成を示す図である。
【図２】実施形態１の無線センサの構成を示すブロック図である。
【図３】実施形態１の検出データ送信処理の手順を示すフローチャートである。
【図４】実施形態１の無線親局の構成を示すブロック図である。
【図５】実施形態１の無線センサ対応処理の手順を示すフローチャートである。
【図６】実施形態１の無線通信システムによる効果の一例を説明するためのグラフである。
【図７】実施形態２の無線通信システムによる効果の一例を説明するためのグラフである。
【発明を実施するための形態】
【００１２】
以下、本発明の実施形態について図面を参照して詳細に説明する。
【００１３】
（実施形態１）
図１は、本発明の実施形態１に係る無線通信システム７を備えた設備管理システムの全体構成を示す図である。この設備管理システムは、例えば、オフィスビル内に設置され、図１に示すように、システムコントローラ１と、無線親局２と、無線センサ３Ａ，３Ｂと、設備機器４と、から構成される。システムコントローラ１及び無線親局２は、第１のネットワーク５に接続されている。第１のネットワーク５は、例えば、Ｍｏｄｂｕｓの仕様に基づいたネットワークである。システムコントローラ１は、例えば、一般的にシーケンサと呼ばれるプログラマブルロジックコントローラ（ＰＬＣ）である、設備機器４は、第２のネットワーク６に接続され、システムコントローラ１により制御される。なお、同一のネットワーク上に無線親局２と設備機器４が接続される構成であってもよい。
【００１４】
設備管理システムは、当該オフィスビル内の所定エリアの状況に応じた空調や照明等を行うためのシステムである。システムコントローラ１は、無線センサ３Ａ，３Ｂによって検出された上記の所定エリアにおける所定の物理量（温度、湿度、照度など）に基づいて、設備機器４（例えば、空調機、照明器など）の運転制御を行う。本実施形態では、設備機器４を空調機とし、無線センサ３Ａ，３Ｂは、それぞれ設備機器４の空調対象エリアの温度及び湿度を検出するセンサ機能を有するものとする。なお、図示しないが、第１のネットワーク５には、複数の無線親局２が接続され得る。また、第２のネットワーク６には、複数の設備機器４が接続され得る。
【００１５】
無線通信システム７は、無線親局２と、無線センサ３Ａ，３Ｂとから構成される。無線センサ３Ａ，３Ｂは、図２に示すように、センサ回路３１と、無線通信Ｉ／Ｆ３２と、時計回路３３と、タイマ３４と、発振回路３５と、メモリ３６と、電池３７と、ＣＰＵ３８と、を備える。
【００１６】
センサ回路３１（環境物理量検出部）は、無線センサ３Ａにおいては、温度を検出し、無線センサ３Ｂにおいては、湿度を検出するための回路である。無線通信Ｉ／Ｆ（インタフェース）３２（第１の通信部）は、無線親局２と所定の無線通信方式にて通信を行う。時計回路３３は、時刻情報を生成する回路である。タイマ３４は、所定の時間間隔（例えば、１分間隔）でＣＰＵ３８に対する割り込みを発生させるインターバルタイマである。
【００１７】
発振回路３５は、水晶発振器等により構成され、所定周波数のクロックをタイマ３４、ＣＰＵ３８に供給する。メモリ３６は、ＲＡＭ（Random Access Memory）、ＲＯＭ（Read Only Memory）、フラッシュメモリ等の読み書き可能な不揮発性の半導体メモリ等から構成され、所定のプログラム、該プログラム実行時に使用されるデータ、後述する検出履歴テーブル等を記憶する。
【００１８】
電池３７は、無線センサ３Ａ（３Ｂ）の各構成部に電力を供給する一次電池や二次電池である。ＣＰＵ（Central Processing Unit）３８（第１の制御部）は、無線センサ３Ａ（３Ｂ）の統括制御を行う。また、ＣＰＵ３８は、メモリ３６に記憶されている上記のプログラムに従って、以下に説明する検出データ送信処理を実行する。
【００１９】
図３は、ＣＰＵ３８により実行される検出データ送信処理の手順を示すフローチャートである。ＣＰＵ３８は、タイマ３４より割り込みをかけられると、以下の検出データ送信処理を実行する。
【００２０】
先ず、ＣＰＵ３８は、センサ回路３１により検出された結果（センサデータ）を取得する（ステップＳ１０１）。そして、ＣＰＵ３８は、時計回路３３から現在時刻（日時）を取得する（ステップＳ１０２）。ＣＰＵ３８は、メモリ３６に記憶されている検出履歴テーブルから前日の同時刻に検出されたセンサデータを読み出す（ステップＳ１０３）。そしてＣＰＵ３８は、センサ回路３１から取得したセンサデータと、読み出したセンサデータとが一致するか否かを判定する（ステップＳ１０４）。ここで、検出履歴テーブルとは、過去所定期間（例えば、１日）分のセンサデータの検出履歴が格納されたデータテーブルである。
【００２１】
上記判定の結果、両者が一致しない場合（ステップＳ１０４；ＮＯ）、ＣＰＵ３８は、取得した（即ち、現時点の）センサデータと、当該無線センサ３Ａ（３Ｂ）のＩＤ（識別情報）とを格納した検出データを無線通信Ｉ／Ｆ３２を介して無線親局２に送信する（ステップＳ１０５）。それから、ＣＰＵ３８は、現時点のセンサデータと、現在時刻とを対応付けて検出履歴テーブルに格納する（ステップＳ１０６）。
【００２２】
一方、両者が一致する場合には（ステップＳ１０４；ＹＥＳ）、ＣＰＵ３８は、検出データを無線親局２に送信することなく、ステップＳ１０６の処理を行う。
【００２３】
続いて、無線親局２について説明する。無線親局２は、図４に示すように、無線通信Ｉ／Ｆ２１と、時計回路２２と、発振回路２３と、メモリ２４と、有線通信Ｉ／Ｆ２５と、受電回路２６と、ＣＰＵ２７と、を備える。
【００２４】
無線通信Ｉ／Ｆ２１（第２の通信部）は、無線センサ３Ａ、３Ｂと所定の無線通信方式にて通信を行う。時計回路２２は、時刻情報を生成する回路である。発振回路２３は、水晶発振器等により構成され、所定周波数のクロックをＣＰＵ２７に供給する。メモリ２４は、ＲＡＭ、ＲＯＭ、フラッシュメモリ等の読み書き可能な不揮発性の半導体メモリ等から構成され、所定のプログラム、該プログラム実行時に使用されるデータ、後述する受信履歴テーブル等を記憶する。
【００２５】
有線通信Ｉ／Ｆ２５（第３の通信部）は、第１のネットワーク５の伝送線（通信ケーブル）に接続し、所定の通信方式（例えば、Ｍｏｄｂｕｓの仕様に則った通信方式）により、システムコントローラ１と第１のネットワーク５を介したデータ通信を行う。また、有線通信Ｉ／Ｆ２５は、通信ケーブルに含まれる給電線から受けた電力を受電回路２６に供給する。
【００２６】
受電回路２６は、電流平滑化回路や電圧変換用のレギュレータ等から構成され、有線通信Ｉ／Ｆ２５から供給された電力を無線親局２の各構成部で使用できるように特定電圧の電力に変換し、変換した電力を各構成部に供給する。
【００２７】
ＣＰＵ２７（第２の制御部）は、無線親局２の統括制御を行う。また、ＣＰＵ２７は、メモリ２４に記憶されている上記のプログラムに従って、以下に説明する無線センサ対応処理を実行する。
【００２８】
図５は、ＣＰＵ２７により実行される無線センサ対応処理の手順を示すフローチャートである。無線通信Ｉ／Ｆ２１により、無線センサ３Ａ又は３Ｂからの検出データが受信されると（ステップＳ２０１；ＹＥＳ）、ＣＰＵ２７は、受信した検出データを有線通信Ｉ／Ｆ２５を介してシステムコントローラ１に送信する（ステップＳ２０２）。また、ＣＰＵ２７は、時計回路２２から現在時刻（日時）を取得し（ステップＳ２０３）、受信した検出データと、取得した現在時刻を対応付けて、送信元の無線センサ（３Ａ又は３Ｂ）に対応する受信履歴テーブルに格納する（ステップＳ２０４）。また、ＣＰＵ２７は、当該無線センサ（３Ａ又は３Ｂ）に対する未受信時間を０にリセットした後、再び未受信時間の計時を開始する。
【００２９】
ここで、受信履歴テーブルとは、過去所定期間（例えば、１日）分の検出データの受信履歴が格納されたデータテーブルである。本実施形態では、無線センサ３Ａ用及び３Ｂ用の２つの受信履歴テーブルがメモリ２４に記憶されている。
【００３０】
無線センサ３Ａ及び３Ｂの何れの検出データも受信していない場合（ステップＳ２０１；ＮＯ）又はステップＳ２０４の処理の後、ＣＰＵ２７は、無線センサ３Ａ又は３Ｂの何れかの検出データにおいて、受信されない時間（未受信時間）が、第１の時間＋第２の時間を越えたか否かを判定する（ステップＳ２０５）。ここで、第１の時間とは、無線センサ３Ａ（３Ｂ）において、タイマ３４がＣＰＵ３８に割り込みをかける時間間隔（例えば、１分間隔）に等しい。また、第２の時間とは、第１の時間より短い時間であり、例えば、第１の時間が１分である場合、第２の時間は１０秒以内程度に設定される。
【００３１】
上記判定の結果、無線センサ３Ａ及び３Ｂに対応する何れの未受信時間についても、第１の時間＋第２の時間を越えていない場合（ステップＳ２０５；ＮＯ）、ＣＰＵ２７の処理は、ステップＳ２０１に戻る。一方、何れかの未受信時間が、第１の時間＋第２の時間を越えた場合（ステップＳ２０５；ＹＥＳ）、ＣＰＵ２７は、時計回路２２から現在時刻を取得し（ステップＳ２０６）、対応する受信履歴テーブルから前日の同時刻の検出データを読み出す（ステップＳ２０７）。なお、ここでの同時刻は、取得した現在時刻より第２の時間分以前の時刻を意味する。
【００３２】
ＣＰＵ２７は、読み出した検出データを有線通信Ｉ／Ｆ２５を介してシステムコントローラ１に送信する（ステップＳ２０８）。また、ＣＰＵ２７は、読み出した検出データと、取得した現在時刻より第２の時間分以前の時刻を対応付けて、対応する受信履歴テーブルに格納する（ステップＳ２０９）。また、ＣＰＵ２７は、当該無線センサ（３Ａ又は３Ｂ）に対する未受信時間を０にリセットした後、再び未受信時間の計時を開始する。そして、ＣＰＵ２７の処理は、ステップＳ２０１に戻る。
【００３３】
以上説明したように、本実施形態の無線通信システム７によれば、無線センサ３Ａ（３Ｂ）は、検出したセンサデータが前日の同時刻に検出されたセンサデータと一致する場合、無線親局２への検出データの送信を行わない。例えば、図６において、○印の時刻に検出されたセンサデータについては、対応する検出データを送信しない。そして、無線親局２では、無線センサ３Ａ（３Ｂ）からの検出データが予め決められた時間間隔で送られてこない場合、前日の同時刻の検出データをシステムコントローラ１に送信する。したがって、従来に比べ、無線センサ３Ａ（３Ｂ）の消費電力の低減化をより図ることが可能となる。
【００３４】
なお、本実施形態では、無線センサ３Ａ（３Ｂ）は、検出したセンサデータと前日の同時刻に検出されたセンサデータを比較していたが、検出履歴テーブルに格納されている過去の何れのセンサデータを比較対象に選ぶかは任意の設計事項である。例えば、検出履歴テーブルに過去１年分のセンサデータの検出履歴を格納するようにして、比較対象として、１年前の同時刻に検出されたセンサデータを選択してもよい。この場合、無線親局２は、無線センサ３Ａ（３Ｂ）からの検出データが予め決められた時間間隔で送られてこないと、１年前の同時刻に受信した（より詳細には、１年前の同時刻に受信履歴テーブルに格納した）検出データをシステムコントローラ１に送信すればよい。
【００３５】
また、無線センサ３Ａ（３Ｂ）は、検出履歴に所定の統計処理を施したものと、検出したセンサデータとを比較してもよい。例えば、無線センサ３Ａ（３Ｂ）は、過去１週間の同時刻に検出されたセンサデータの平均と、検出したセンサデータとを比較し、検出したセンサデータが、上記の平均と一致する場合、無線親局２への検出データの送信を行わないようにしてもよい。この場合、無線親局２は、無線センサ３Ａ（３Ｂ）からの検出データが予め決められた時間間隔で送られてこないと、当該無線センサ３Ａ（３Ｂ）に対応する受信履歴テーブルから過去１週間分の検出データを読み出す。そして、無線親局２は、同時刻の検出データに含まれるセンサデータの平均を算出し、算出した平均と、当該無線センサ３Ａ（３Ｂ）のＩＤとを格納した検出データをシステムコントローラ１に送信すればよい。
【００３６】
また、検出したセンサデータと前日の同時刻のセンサデータとの比較において、一致する場合のみならず、両者の差分が所定範囲に収まっている場合には、無線センサ３Ａ（３Ｂ）は、無線親局２への検出データの送信を行わないようにしてもよい。この範囲（差分範囲）は固定にしてもよいし、システムコントローラ１や無線親局２が所定条件の下で変動させ、無線センサ３Ａ（３Ｂ）に通知するようにしてもよい。このようにすれば、例えば、無線センサ３Ａ（３Ｂ）は、設備機器４の制御において誤差の範囲とみなしてもよいレベル等で変化したセンサデータに対応する検出データを送信する必要がなくなり、消費電力のより一層の低減化が期待できる。
【００３７】
上記の変形例において、例えば、システムコントローラ１や無線親局２は、無線センサ３Ａ（３Ｂ）の電池３７の残容量に基づいて、上記の差分範囲を変動させてもよい。この場合、無線センサ３Ａ（３Ｂ）は、送信する検出データに、電池３７の残容量（例えば、容量が少ない順に１〜５の５段階で示す）を含めるようにすればよい。このようにすれば、残容量の乏しい無線センサ３Ａ（３Ｂ）については、差分範囲を大きくし、検出データ送信の頻度を抑えることで、電池３７の急な電池切れを回避することができる。
【００３８】
また、システムコントローラ１や無線親局２は、時間帯、曜日、祝日等によって、上記の差分範囲を変動させてもよい。例えば、夜間や勤務時間外、土日、祝日等のように、設備機器４の制御エリア内に人が居ない、あるいは少ない場合等では、差分範囲を大きくする。このようにすれば、ユーザの快適性を損なうことなく、無線センサ３Ａ（３Ｂ）の消費電力を一層低減させることができる。
【００３９】
（実施形態２）
続いて、本発明の実施形態２について説明する。なお、以下の説明において、実施形態１と共通する構成要素については、同一の符号を付し、その説明を省略する。
【００４０】
実施形態２の無線通信システムでは、無線センサ３Ａ（３Ｂ）は、検出したセンサデータに調整値を加算又は減算して得られたデータと、前日の同時刻に検出されたセンサデータを比較し、一致する場合には、無線親局２への検出データの送信を行わない。
【００４１】
この調整値は、無線親局２によって決定され、無線センサ３Ａ（３Ｂ）に通知される。より詳細には、無線親局２のＣＰＵ２７は、所定のタイミング（例えば、毎日の特定時刻）に、無線センサ３Ａ（３Ｂ）から送られてきた検出データに含まれるセンサデータと、前日の同時刻に検出されたセンサデータとを比較し、差分を求めることで、上記の調整値を算出する。そして、無線親局２のＣＰＵ２７は、算出した調整値と、加算又は減算の何れかを示す情報（加減算指示情報）とを格納した調整要求データを無線通信Ｉ／Ｆ２１を介して、無線センサ３Ａ（３Ｂ）に送信する。また、ＣＰＵ２７は、算出した調整値と、加減算指示情報とをメモリ２４に保存する。
【００４２】
無線センサ３Ａ（３Ｂ）のＣＰＵ３８は、無線親局２から上記の調整要求データを無線通信Ｉ／Ｆ３２を介して受信すると、かかる調整要求データから調整値と、加減算指示情報とを抽出し、メモリ３６に保存する。そして、ＣＰＵ３８は、以降の検出データ送信処理では、検出したセンサデータに対して、上記の加減算指示情報に従って、上記の調整値を加算又は加減する。そして、ＣＰＵ３８は、これにより得られたデータと、前日の同時刻に検出されたセンサデータとを比較し、両者が一致する場合には、無線親局２への検出データの送信を行わない。
【００４３】
無線親局２のＣＰＵ２７は、無線センサ対応処理において、無線センサ３Ａ（３Ｂ）からの検出データが、所定時間（第１の時間＋第２の時間）経過しても送られてこない場合、１年前の同時刻に受信した（より詳細には、受信履歴テーブルに格納した）検出データからセンサデータを抽出し、抽出したセンサデータに対して、上記の加減算指示情報に従って、上記の調整値を加算又は加減する。ＣＰＵ２７は、これにより得られたデータを格納した検出データを生成し、システムコントローラ１に送信する。また、ＣＰＵ２７は、送信した検出データと、現在時刻より第２の時間分以前の時刻を対応付けて、対応する受信履歴テーブルに格納する。
【００４４】
以上のように、本実施形態の無線通信システムによれば、無線センサ３Ａ（３Ｂ）は、検出したセンサデータに調整値分を加味したデータが、前日の同時刻のセンサデータと一致する場合には、無線親局２への検出データの送信を行わない。したがって、例えば、図７に示すように、センサデータの変動の傾向が前日と似通っているものの、本日検出されたセンサと前日検出されたセンサデータにおいて、一致する時刻点がない、あるいは少ない場合であっても、無線センサ３Ａ（３Ｂ）からの検出データの送信頻度を抑えられ、消費電力の低減化が図れる。
【００４５】
なお、本実施形態では、調整値は、無線親局２によって決定され、無線センサ３Ａ（３Ｂ）に通知されていたが、無線センサ３Ａ（３Ｂ）によって決定されるようにしてもよい。この場合、無線センサ３Ａ（３Ｂ）のＣＰＵ３８は、所定のタイミング（例えば、毎日の特定時刻）に、検出したセンサデータと、前日の同時刻に検出されたセンサデータとを比較し、差分を求めることで調整値を算出する。そして、ＣＰＵ３８は、算出した調整値と、加減算指示情報とを格納した調整要求データを無線通信Ｉ／Ｆ３２を介して、無線親局２に送信する。また、ＣＰＵ３８は、算出した調整値と、加減算指示情報とをメモリ３６に保存する。
【００４６】
無線親局２のＣＰＵ２７は、無線センサ３Ａ（３Ｂ）から上記の調整要求データを無線通信Ｉ／Ｆ２１を介して受信すると、かかる調整要求データから調整値と、加減算指示情報とを抽出し、メモリ２４に保存する。以降の処理は、無線親局２、無線センサ３Ａ（３Ｂ）共に前述した通りである。
【００４７】
また、調整値が、前日の同時刻に検出されたセンサデータとの差分値ではなく、上昇率、下降率等の傾きを示すものあってもよい。この場合、例えば、無線センサ３Ａ（３Ｂ）のＣＰＵ３８は、検出データ送信処理において、検出したセンサデータにこの調整値を乗算することで得られたデータと、前日の同時刻に検出されたセンサデータとを比較する。そして、両者が一致する場合には、無線親局２への検出データの送信を行わないようにすればよい。
【００４８】
なお、本発明は、上記各実施形態に限定されず、本発明の要旨を逸脱しない範囲での種々の変更は勿論可能である。
【００４９】
例えば、無線センサ３Ａ（３Ｂ）は、検出したセンサデータ（あるいは、調整値を加減算したデータ）が前日の同時刻のデータと一致していた場合でも、所定時間（例えば、１時間）毎に必ず検出データを無線親局２に送信する仕様にしてもよい。このようにすれば、無線センサ３Ａ（３Ｂ）の故障や電池切れ等が発生したにも拘わらず、看過されてしまうという事態を防止できる。
【００５０】
本発明は、本発明の広義の精神と範囲を逸脱することなく、様々な実施形態及び変形が可能とされるものである。また、上述した実施形態は、本発明を説明するためのものであり、本発明の範囲を限定するものではない。つまり、本発明の範囲は、実施形態ではなく、特許請求の範囲によって示される。そして、特許請求の範囲内及びそれと同等の発明の意義の範囲内で施される様々な変形が、本発明の範囲内とみなされる。
【符号の説明】
【００５１】
１          システムコントローラ
２          無線親局
３Ａ、３Ｂ  無線センサ
４          設備機器
５          第１のネットワーク
６          第２のネットワーク
７          無線通信システム
２１、３２  無線通信Ｉ／Ｆ
２２、３３  時計回路
２３、３５  発振回路
２４、３６  メモリ
２５        有線通信Ｉ／Ｆ
２６        受電回路
２７、３８  ＣＰＵ
３１        センサ回路
３４        タイマ
３７        電池
【図１】
0005456095.tif 000002
【図２】
0005456095.tif 000003
【図３】
0005456095.tif 000004
【図４】
0005456095.tif 000005
【図５】
0005456095.tif 000006
【図６】
0005456095.tif 000007
【図７】
0005456095.tif 000008